(57)【要約】本発明は、イヤホン固定用イヤ器具に関し、耳介の後方を取り囲んで嵌めて固定されるように、‘Ｃ’字状の環状に形成される固定ボディーと；耳介の前方の凹部に位置して耳孔に音響を伝達するイヤホンモジュールと；前記固定ボディーのある一部分から前記イヤホンモジュールまでユーザの耳介を横切る環状に延び、弾性体又はフレキシブルメタルからなって、変形によって前記固定ボディーと前記イヤホンモジュールが互いに離隔又は近接して耳介に噛み合って固定されるようにする支持連結体と；で構成され、前記固定ボディーの一側に第１締結口が形成され、前記イヤホンモジュールの一側に第２締結口が形成されると共に、前記支持連結体の両端部を第１締結口及び第２締結口にそれぞれ着脱式で分離、結合が可能なように備えて、ユーザの必要に応じて、一体に結合して使用するか、またはイヤホンモジュールのみを単独で使用することができ、前記イヤホンモジュールに音筒、長さ調節部、マイク、アクセサリーがさらに備えられ、前記アクセサリー及び固定ボディーには、ＲＦＩＤ又は認証キーなどの電子チップが内蔵されることを特徴とする、イヤホン固定用イヤ器具を提供することによって、最小限の構成要素のみでイヤホンをユーザの耳に強固かつ安定に固定することができ、イヤホンがユーザの耳孔に直接的に挿入されないため、耳に痛み及び難聴の誘発を予防し、周辺の音を聞くことができるため、周辺状況に迅速な対処が可能となり、事故の危険から回避することができる効果がある。
2018516033.tif 000002
【特許請求の範囲】
【請求項１】
耳介（１）の後方を取り囲んで嵌めて固定されるように、‘Ｃ’字状の環状に形成される固定ボディー（１００）と、
耳介（１）の前方の凹部に位置して耳孔（２）に音響を伝達するイヤホンモジュール（３００）と、
前記固定ボディー（１００）のある一部分から前記イヤホンモジュール（３００）までユーザの耳介（１）を横切る環状に延び、弾性体又はフレキシブルメタルからなって、変形によって前記固定ボディー（１００）と前記イヤホンモジュール（３００）が互いに離隔又は近接して耳介（１）に噛み合って固定されるようにする支持連結体（２００）とで構成されることを特徴とする、イヤホン固定用イヤ器具。
【請求項２】
前記固定ボディー（１００）の一側に第１締結口（１１０）が形成され、
前記イヤホンモジュール（３００）の一側に第２締結口（３１０）が形成され、
前記支持連結体（２００）の両端部を第１締結口（１１０）及び第２締結口（３１０）にそれぞれ着脱式で分離、結合が可能なようにして、ユーザの必要に応じて、一体に結合して使用するか、またはイヤホンモジュール（３００）のみを単独で使用できるように構成されたことを特徴とする、請求項１に記載のイヤホン固定用イヤ器具。
【請求項３】
前記イヤホンモジュール（３００）には、耳孔（２）に挿入されて音響を伝達する音筒（３２０）がさらに突出形成され、前記音筒（３２０）とイヤホンモジュール（３００）との間には、音筒（３２０）が耳孔（２）に挿入される深さを調節できるように、長さの調節が可能な長さ調節部（３３０）をさらに含むことを特徴とする、請求項１に記載のイヤホン固定用イヤ器具。
【請求項４】
前記イヤホンモジュール（３００）には、ユーザの音声を受信するマイク（３４０）が備えられることを特徴とする、請求項１に記載のイヤホン固定用イヤ器具。
【請求項５】
前記イヤホンモジュール（３００）の後方に隣接する支持連結体（２００）の一部分には、遮音部材（３５０）が支持連結体（２００）を基準として回転可能に備えられて、ユーザの必要に応じて耳孔（２）を覆って周辺の音を遮断できるように構成されたことを特徴とする、請求項１に記載のイヤホン固定用イヤ器具。
【発明の詳細な説明】
【技術分野】
【０００１】
本発明は、イヤホン固定用イヤ器具に関し、より具体的には、クリップ方式で耳介に安定に固定すると共に、イヤホンの音響及び周辺の音をいずれも聞くことができ、難聴の誘発を最小化することができるイヤホン固定用イヤ器具に関する。
【背景技術】
【０００２】
一般に、イヤホンは、ユーザが耳に差し込んで音響を聴取するスピーカーの一種であって、ラジオ、ＭＰ３、携帯電話、コンピュータ、ノートパソコンなどの再生手段に有線又は無線で接続して音響を聴取するのに使用するものである。
【０００３】
このようなイヤホンを介して、ユーザは、イヤホンを耳孔に差し込んで再生手段によって再生される音響に集中するか、又は、ほとんどは音楽を聴取しながら業務、読書、勉強、運動などの他の活動を並行する。
【０００４】
しかし、イヤホンを耳孔に挿入して音響を聴取する場合、周辺の音はあまり聞こえなくなることによって、ユーザに危険な状況をもたらすことがある。
【０００５】
特に、イヤホンを差し込んだ状態でジョギング、ハイキングなどの運動や移動中に周りの音を聞くことができず、車両又は他の歩行者との衝突による事故にさらされる虞がある。
【０００６】
また、イヤホンを差し込んだ状態で大音量で音響を長時間聴取する場合、鼓膜に悪い影響を及ぼし、ひどい場合は、鼓膜の破裂や難聴を誘発するという問題がある。
【０００７】
一方、イヤ器具は、通常、イヤリング、ピアスなどのアクセサリーと、イヤホンをユーザの耳に固定する固定具とに区分される。
【０００８】
すなわち、後者のイヤ器具を通じてイヤホンをユーザの耳に固定するものとして、本出願人は、特許文献１を提案した。
【０００９】
しかし、特許文献１のイヤ器具の場合、着用時にユーザの激しい動きや衝撃によって容易に外れるという問題がある。
【００１０】
また、特許文献１のイヤ器具は、ユーザのそれぞれの用途に合う部品を別途に購入しなければならず、イヤホンを着用することが非常に煩わしいという問題がある。
【００１１】
なお、既存のイヤホンは、耳孔に加圧して挿入しなければならないため、挿入圧力によって痛み及びかゆみを誘発するという問題がある。
【００１２】
したがって、本出願人は、イヤホンを耳孔に挿入しなくてもユーザの耳に強固に固定され、周辺の音を聞くことができるため音響聴取中に事故の危険から回避することができるイヤホン固定用イヤ器具を提案しようとする。
【先行技術文献】
【特許文献】
【００１３】
【特許文献１】韓国登録特許公報第１０−１５４４６８７号
【発明の概要】
【発明が解決しようとする課題】
【００１４】
本発明は、上記問題点を解決するために提案されたもので、耳介に沿ってクリップ方式で強固に固定して、ユーザの激しいモーションにも外れないように安定した着用が可能であり、イヤホンの音響はもとより、周辺の音も聞くことができるため、周辺の危険要素を認知及び回避することができ、耳孔に加わる圧力が低いため、既存に比べて難聴発生率が低下するイヤホン固定用イヤ器具を提供することにその目的がある。
【課題を解決するための手段】
【００１５】
上記目的を達成するために、本発明は、耳介の後方を取り囲んで嵌めて固定されるように、‘Ｃ’字状の環状に形成される固定ボディーと；耳介の前方の凹部に位置して耳孔に音響を伝達するイヤホンモジュールと；前記固定ボディーのある一部分から前記イヤホンモジュールまでユーザの耳介を横切る環状に延び、弾性体又はフレキシブルメタルからなって、変形によって前記固定ボディーと前記イヤホンモジュールが互いに離隔又は近接して耳介に噛み合って固定されるようにする支持連結体と；で構成されることを特徴とするイヤホン固定用イヤ器具を提供する。
【００１６】
ここで、前記固定ボディーの一側に第１締結口が形成され、前記イヤホンモジュールの一側に第２締結口が形成されると共に、前記支持連結体の両端部を第１締結口及び第２締結口にそれぞれ着脱式で分離、結合が可能なように備えて、ユーザの必要に応じて、一体に結合して使用するか、またはイヤホンモジュールのみを単独で使用できるように構成されたことを特徴とする。
【００１７】
また、前記イヤホンモジュールには、耳孔に挿入されて音響を伝達する音筒がさらに突出形成され、前記音筒とイヤホンモジュールとの間には、音筒が耳孔に挿入される深さを調節できるように伸縮可能な長さ調節部がさらに備えられ、同様に、前記イヤホンモジュールには、ユーザの音声を受信するマイクがユーザの頬に沿ってさらに延設されることを特徴とする。
【００１８】
そして、前記イヤホンモジュールの後方に隣接する支持連結体の一部分には、ユーザの必要に応じて耳孔を覆って周辺の音を遮断したり解除したりする遮音部材が回転可能にさらに備えられ、前記支持連結体には、ユーザの好みに応じて、様々なキャラクター又は形状を有するアクセサリーが着脱可能にさらに備えられることを特徴とする。
【００１９】
最後に、前記アクセサリー又は前記固定ボディーには、公共交通、金融決済タグのためのＲＦＩＤ、またはドアロック認証キーなどの電子チップが内蔵されることを特徴とする。
【発明の効果】
【００２０】
前記のように構成された本発明を提供することによって、次のような効果を有する。
【００２１】
第一に、最小限の構成要素のみでイヤホンをユーザの耳に強固かつ安定に固定することができる。
【００２２】
第二に、イヤホンがユーザの耳孔に直接的に挿入されないため、耳に痛み及び難聴が誘発されることを予防し、周辺の音を聞くことができるため、周辺状況に迅速な対処が可能となり、事故の危険から回避することができる。
【図面の簡単な説明】
【００２３】
【図１】本発明に係るイヤホン固定用イヤ器具を示す構成図である。
【図２】本発明に係るイヤホン固定用イヤ器具の着用状態を示す例示図である。
【図３】本発明に係るイヤホン固定用イヤ器具を示す分解状態図である。
【図４】本発明に係るイヤホン固定用イヤ器具の第１実施例を示す構成図である。
【図５】本発明に係るイヤホン固定用イヤ器具の第２実施例を示す構成図である。
【図６】本発明に係るイヤホン固定用イヤ器具の第３実施例を示す構成図である。
【図７】本発明に係るイヤホン固定用イヤ器具の第４実施例を示す構成図である。
【図８】本発明に係るイヤホン固定用イヤ器具の第５実施例を示す構成図である。
【図９】本発明に係るイヤホン固定用イヤ器具における固定ボディーの様々な変更を例示する図である。
【発明を実施するための形態】
【００２４】
以下、本発明について、同じ技術分野に属する通常の知識を有する者が容易に実施できるように、添付の図面を参照して好ましい実施例を詳細に説明する。
【００２５】
本発明のイヤホン固定用イヤ器具は、図１及び図２に示したように、ユーザの耳介１の後方に取り囲むように着用される‘Ｃ’字状の固定ボディー１００と、この固定ボディー１００から耳介の前方に横切る‘Ｃ’字状の支持連結体２００と、この支持連結体２００の端部に備えられて音響を出力するイヤホンモジュール３００とを含む簡単な構造で構成される。
【００２６】
ここで、固定ボディー１００は、ユーザの耳介１の後方を取り囲んで嵌めて固定されるように‘Ｃ’字状の環状に形成されたもので、一般的には、弾性力を有する金属又はプラスチックで作製することができる。
【００２７】
特に、前記固定ボディー１００をユーザの耳介１の後方にさらに密着させたり、様々な大きさの耳介１に対して着用感を増加させたりするために、自由変形が可能なフレキシブルメタル（ｆｌｅｘｉｂｌｅ  ｍｅｔａｌ）からなるフレームに質感の柔らかいスポンジ系列の外皮を有することがさらに好ましい。
【００２８】
このとき、弾性体又はフレキシブルメタルからなる固定ボディー１００は、図２に示したように、ユーザが小さな腕力で固定ボディー１００を広げた状態で、耳介１の後方に密着させた後、弾性復帰又は窄み作用で耳介１を取り囲むようになる。
【００２９】
したがって、前記固定ボディー１００が耳介１の後方を取り囲んで、正確には耳介１の上下の２つの地点を押圧して固定される。
【００３０】
さらに、前記固定ボディー１００を介して、耳介１の後方を取り囲んで上下移動防止及びイヤ器具全体の荷重を耳介１に伝達して強く固定することができる。
【００３１】
このとき、前記固定ボディー１００には、ユーザの用途によって、オーディオ再生装置、無線機、通訳機、温度センサ、歩数計、振動器、ＲＦＩＤなどの様々なモジュールを内蔵することができる。
【００３２】
そして、前記支持連結体２００は、前記固定ボディー１００のある一部分からユーザの耳介１の前方の凹部まで、耳介１を横切る環状に延び、前記固定ボディー１００と同一に弾性体又はフレキシブルメタルからなる。
【００３３】
このとき、弾性体は、使用頻度が増加すると、弾性力を失って固定力が低下することがあるため、フレキシブルメタルを使用することが好ましい。
【００３４】
特に、前記フレキシブルメタルは、金、銀、銅、アルミニウムなど、ユーザが小さな腕力で自由に変形可能な材質であればいずれも使用可能であり、特に、変形と維持が容易なアルミニウムワイヤが最も好ましい。
【００３５】
前記支持連結体２００の一端には前記固定ボディー１００が形成され、他端には前記イヤホンモジュール３００が備えられた状態で、ユーザが小さな腕力で前記支持連結体２００を変形させて両端の間を広げると、前記固定ボディー１００と前記イヤホンモジュール３００が同時に離隔して、耳介１をそれらの間に挟むことができるようになり、前記支持連結体２００が弾性復帰又は窄み作用で再び元の状態に復帰すると、前記固定ボディー１００と前記イヤホンモジュール３００とが再び近接しながら耳介１に噛み合って固定される。
【００３６】
このとき、前記固定ボディー１００は、耳介１の後方を取り囲んで上下を支持し、イヤホンモジュール３００は、耳介１の前方の凹部に位置して加圧されることによって左右を支持して、耳介１を全体的に取り囲んで上下左右に移動しないように３点を支持するようになって強固に固定される。
【００３７】
そして、前記イヤホンモジュール３００は、前記支持連結体２００の端部に備えられてユーザの耳介の前方の凹部に位置して、耳孔２に音響を伝達する。
【００３８】
このとき、前記イヤホンモジュール３００は、スピーカー、バッテリー、ブルートゥース（登録商標）、オーディオ装置など、一般的にイヤホンが有する様々な機能が内蔵されたもので、以下では、イヤホンモジュール３００に内蔵される具体的な構成要素についての説明を省略する。
【００３９】
したがって、前記イヤホンモジュール３００は、ブルートゥースを用いた無線方式又はイヤジャックが接続された有線方式のいずれも採択することができる。
【００４０】
結局、前記支持連結体２００の変形によって、前記固定ボディー１００と前記イヤホンモジュール３００が互いに離隔又は近接して耳介１に噛み合って固定されて、イヤホン固定用イヤ器具を耳介１に強固に着用することができる。
【００４１】
一方、図３に示したように、前記固定ボディー１００の一側に第１締結口１１０が形成され、前記イヤホンモジュール３００の一側に第２締結口３１０が形成される。
【００４２】
そして、前記支持連結体２００の両端部を第１締結口１１０及び第２締結口３１０にそれぞれ着脱式で分離、結合が可能なようにして、ユーザの必要に応じて、一体に結合して使用するか、またはイヤホンモジュール３００のみを単独で使用することができるように構成する。
【００４３】
すなわち、ユーザが主に運動、ハイキングなどの野外活動をして激しい動きがあるとき、イヤホンが外れることを防止するために、固定ボディー１００、イヤホンモジュール３００、及び支持連結体２００を全て一体に結合して、図２に示したように着用して使用することができ、反面、異なる趣向のユーザが前記イヤホンモジュール３００を単独で通常のイヤホンのように耳孔２に差し込んで使用できるように、前記固定ボディー１００及び支持連結体２００を全て分離することができる。
【００４４】
次に、本発明のイヤホン固定用イヤ器具に対する各実施例を通じて、より具体的な構造及び様々な方式の使用例を提示する。
【００４５】
＜第１実施例＞
【００４６】
そして、図４によれば、前記イヤホンモジュール３００には、耳孔２に挿入されて音響を伝達する音筒３２０がさらに突出形成され、前記音筒３２０とイヤホンモジュール３００との間には、音筒３２０が耳孔２に挿入される深さを調節できるように、長さの調節が可能な長さ調節部３３０をさらに含む。
【００４７】
すなわち、前記イヤホンモジュール３００の一側に、ユーザの耳孔２の方向に音筒３２０がさらに備えられることによって、ユーザに出力される音響をさらに近くで聞くことができる。
【００４８】
さらに、前記音筒３２０とイヤホンモジュール３００との間に長さ調節部３３０をさらに備えることによって、前記音筒３２０をイヤホンモジュール３００から長く延長させるなど、引き出し可能に構成すると共に、必要に応じて、前記音筒３２０を耳孔２に差し込んで使用するとき、前記長さ調節部３３０が耳孔２の内壁にソフトに密着して、既存のイヤホンを着用するよりさらに楽に耳の痛みを軽減することができる。
【００４９】
＜第２実施例＞
【００５０】
また、図５によれば、前記イヤホンモジュール３００には、ユーザの音声を受信するマイク３４０がユーザの頬に沿ってさらに延設される。
【００５１】
これは、イヤホンモジュール３００自体に内蔵されたマイク３４０の機能を活用して、通常のヘッドセットの用途に使用できるようにマイク３４０をさらに備えることである。
【００５２】
また、前記マイク３４０の受信感度又は周辺環境に応じてユーザの声をさらにはっきり伝達できるように、前記マイク３４０の延長長さを、通常のテレスコープ方式で、ユーザの必要に応じて順次さらに延長できるように備えることが好ましい。
【００５３】
＜第３実施例＞
【００５４】
そして、図６によれば、前記イヤホンモジュール３００の後方に隣接する支持連結体２００の一部分には、遮音部材３５０が支持連結体２００を基準として回転可能に備えられ、ユーザの必要に応じて耳孔２を覆って周辺の音を遮断することができる。
【００５５】
すなわち、前記支持連結体２００及び固定ボディー１００の変形を通じてユーザの耳介１に着用した後、前記遮音部材３５０を初期に支持連結体２００の方向に回転させて耳孔２を開放し、音響の聴取と共に周辺の音を同時に聞くことができる。
【００５６】
反対に、前記遮音部材３５０をイヤホンモジュール３００の前方方向に回転させて耳孔２を塞ぐことによって、周辺の音を遮断してユーザが音響の聴取に集中することができる。
【００５７】
また、イヤホンの音と外部音の両方を遮断して勉強又は業務にのみ集中できるように耳栓の役割を果たすことができる。
【００５８】
このとき、前記遮音部材３５０は、通常のスポンジやシリコン材質からなることが好適であり、形状もまた、貝状や扇状で耳孔２を覆うことがさらに効果的である。
【００５９】
＜第４実施例＞
【００６０】
そして、図７によれば、前記支持連結体２００には、ユーザの好みに応じて、様々なキャラクター又は形状を有するアクセサリー２１０が着脱可能に又は一体にさらに備えられる。
【００６１】
これは、女性ユーザが本発明のイヤホン固定用イヤ器具を使用する場合、外見的にさらにキューティ（ｃｕｔｉｅ）又はプリティー（ｐｒｅｔｔｙ）に見えるように、様々なアクセサリー２１０を提供することができる。
【００６２】
前記アクセサリー２１０には、公共交通、金融決済タグのためのＲＦＩＤ、またはドアロック認証キーなどの電子チップ４００が内蔵されていてもよい。
【００６３】
すなわち、ユーザのポケットや財布から電子チップ４００を有するタグカードを取り出す不便さなしに、着用している本発明のイヤ器具からアクセサリー２１０を分離してタグした後、再び着用できるようにして、公共交通の利用やドアロックの出入りをさらに楽に行うことができる。
【００６４】
＜第５実施例＞
【００６５】
また、図８によれば、第４実施例と同様に、前記固定ボディー１００には、公共交通、金融決済タグのためのＲＦＩＤ、またはドアロック認証キーなどの電子チップ４００が内蔵される。
【００６６】
すなわち、ユーザのポケットや財布から電子チップ４００を有するタグカードを取り出す不便さなしに、着用している本発明のイヤ器具を外してタグした後、再び着用できるので、公共交通の利用をさらに容易にすることができる。
【００６７】
最後に、図９によれば、前記固定ボディー１００は、本発明のイヤホン固定用イヤ器具を着用する様々なユーザ、すなわち、様々な耳介１の大きさ及び形状に適用できるように、‘Ｃ’字状に湾曲する長さ及び大きさを多様にしてサイズ別に作製することによって、ユーザの耳に合わせて選択可能なように提供することが好ましい。
【００６８】
上述した本発明のイヤホン固定用イヤ器具を提供することによって、最小限の構成要素のみでイヤホンをユーザの耳に強固かつ安定に固定することができ、イヤホンがユーザの耳孔２に直接的に挿入されないため、耳に痛み及び難聴の誘発を予防し、周辺の音を聞くことができるため、周辺状況に迅速な対処が可能となり、事故の危険から回避することになる効果を期待することができる。
【００６９】
以上で説明した本明細書及び特許請求の範囲で使用される用語及び単語は、通常又は辞書的な意味に限定して解釈されてはならず、本発明者は自分の発明を最善の方法で説明するために用語の概念を適切に定義できるという原則に基づき、本発明の技術的思想に符合する意味と概念として解釈されなければならない。
【００７０】
したがって、本明細書に記載された図面及び実施例に示された構成は、本発明の最も好ましい一実施例に過ぎず、本発明の技術的思想をすべて代弁するものではないため、本出願が行われた時点においてこれらを代替できる様々な均等物と変形例があり得るということを理解しなければならない。
【符号の説明】
【００７１】
１    耳介
２    耳孔
１００    固定ボディー
１１０    第１締結口
２００    支持連結体
２１０    アクセサリー
３００    イヤホンモジュール
３１０    第２締結口
３２０    音筒
３３０    長さ調節部
３４０    マイク
３５０    遮音部材
４００    電子チップ
【図１】
2018516033.tif 000003
【図２】
2018516033.tif 000004
【図３】
2018516033.tif 000005
【図４】
2018516033.tif 000006
【図５】
2018516033.tif 000007
【図６】
2018516033.tif 000008
【図７】
2018516033.tif 000009
【図８】
2018516033.tif 000010
【図９（ａ）】
2018516033.tif 000011
【図９（ｂ）】
2018516033.tif 000012
【図９（ｃ）】
2018516033.tif 000013
【図９（ｄ）】
2018516033.tif 000014
【国際調査報告】
2018516033.tif 000015
2018516033.tif 000016
2018516033.tif 000017
2018516033.tif 000018